(57)【要約】【課題】下端フランジを安定して平坦な形状にすることが可能なコンテナーを提供する。【解決手段】本発明のコンテナー１０では、下端フランジ１５のうち縦リブ１６，１６同士の間に位置しかつ下端突部３０に接続された領域の基端側の壁部を部分的に除去して複数の下側ヒケ防止溝２０を設けたので、それら下側ヒケ防止溝２０により下端突部３０が下端フランジ１５を下側に引き下げる力が分断されて、下向きのヒケが抑えられる。これにより、コンテナー１０に備えた下端フランジ１５を安定して平坦な形状にすることが可能になり、下側ヒケ防止溝２０の外観品質が向上すると共に、コンテナー１０，１０を積み上げた際に隙間が発生し難くなる。【選択図】図３
2008024349.tif 000002
【特許請求の範囲】
【請求項１】
上方に開放した上面開口と、側壁の下端部から側方に張り出した下端フランジと、その下端フランジと前記側壁との間を連絡して補強した複数の縦リブと、底壁から下方に突出した下端突部とを備え、前記下端突部を前記上面開口に嵌合して複数積み上げ可能な樹脂製のコンテナーであって、
前記下端フランジのうち前記縦リブ同士の間に位置しかつ前記下端突部に接続された領域の基端側の壁部を部分的に除去して、前記下端フランジを引き下げるヒケを防止するための下側ヒケ防止部を設けたことを特徴とするコンテナー。
【請求項２】
前記下側ヒケ防止部は、溝構造をなして前記下端フランジの下面に陥没形成されたことを特徴とする請求項１に記載のコンテナー。
【請求項３】
前記下側ヒケ防止部は、孔構造をなして前記下端フランジに貫通形成され、
前記下側ヒケ防止部に下端部が嵌合装着されて上方に延び、前記側壁との間にカードを挟持可能なカードホルダーを備えたことを特徴とする請求項１に記載のコンテナー。
【請求項４】
前記下端突部は、間隔を開けて複数成形され、
前記側壁のうち前記縦リブ同士の間に位置しかつ下方に前記下端突部を有しない領域の下端側の壁部を部分的に除去して、前記下端フランジを引き上げるヒケを防止するための上側ヒケ防止部を設けたことを特徴とする請求項１乃至３の何れかに記載のコンテナー。
【請求項５】
前記上側ヒケ防止部は、溝構造をなして前記側壁の外面に陥没形成されたことを特徴とする請求項４に記載のコンテナー。
【発明の詳細な説明】
【技術分野】
【０００１】
本発明は、上方に開放した上面開口と、底壁から下方に突出した下端突部とを備え、下端突部を上面開口に嵌合して複数積み上げ可能な樹脂製のコンテナーに関する。
【背景技術】
【０００２】
従来、この種のコンテナーとして、図１１に示すように、側壁１の下端部から側方に張り出した下端フランジ２と側壁１との間を複数の縦リブ３で連絡して補強したものが知られている（例えば、特許文献１参照）。
【特許文献１】特開２００４−１６１３１９号公報（段落［００１１］、第４図〜第７図）
【発明の開示】
【発明が解決しようとする課題】
【０００３】
しかしながら、上記した従来のコンテナーは、縦リブ３を有しない部分において、図１２の破線に示すように下端フランジ２がヒケにより下端突部４や側壁１に引っ張られて波形状に変形する事態が生じ得た。そして、その変形により下端フランジ２の外観品質が低下したり、積み上げた際に上下のコンテナーの間に隙間が生じるという問題が生じていた。なお、ここで「ヒケ」とは、コンテナーを樹脂成形するための溶融樹脂が固化する過程で、隣り合った部位間の樹脂の固化速度の相違により、一の部位が他の部位側に引っ張られる現象をいう。
【０００４】
本発明は、上記事情に鑑みてなされたもので、下端フランジを安定して平坦な形状にすることが可能なコンテナーの提供を目的とする。
【課題を解決するための手段】
【０００５】
上記目的を達成するためになされた請求項１の発明に係るコンテナーは、上方に開放した上面開口と、側壁の下端部から側方に張り出した下端フランジと、その下端フランジと側壁との間を連絡して補強した複数の縦リブと、底壁から下方に突出した下端突部とを備え、下端突部を上面開口に嵌合して複数積み上げ可能な樹脂製のコンテナーであって、下端フランジのうち縦リブ同士の間に位置しかつ下端突部に接続された領域の基端側の壁部を部分的に除去して、下端フランジを引き下げるヒケを防止するための下側ヒケ防止部を設けたところに特徴を有する。
【０００６】
請求項２の発明は、請求項１に記載のコンテナーにおいて、下側ヒケ防止部は、溝構造をなして下端フランジの下面に陥没形成されたところに特徴を有する。
【０００７】
請求項３の発明は、請求項１に記載のコンテナーにおいて、下側ヒケ防止部は、孔構造をなして下端フランジに貫通形成され、下側ヒケ防止部に下端部が嵌合装着されて上方に延び、側壁との間にカードを挟持可能なカードホルダーを備えたところに特徴を有する。
【０００８】
請求項４の発明は、請求項１乃至３の何れかに記載のコンテナーにおいて、下端突部は、間隔を開けて複数成形され、側壁のうち縦リブ同士の間に位置しかつ下方に下端突部を有しない領域の下端側の壁部を部分的に除去して、下端フランジを引き上げるヒケを防止するための上側ヒケ防止部を設けたところに特徴を有する。
【０００９】
請求項５の発明は、請求項４に記載のコンテナーにおいて、上側ヒケ防止部は、溝構造をなして側壁の外面に陥没形成されたところに特徴を有する。
【発明の効果】
【００１０】
請求項１に係るコンテナーでは、下端フランジのうち縦リブ同士の間に位置しかつ下端突部に接続された領域の基端側の壁部を部分的に除去して下側ヒケ防止部を設けたので、樹脂成形時に下端突部と下端フランジとを構成する樹脂の固化速度が相違しても、下端突部が下端フランジを引き下げる力が下側ヒケ防止部によって分断され、ヒケが抑えられる。これにより、コンテナーに備えた下端フランジを安定して平坦な形状にすることが可能になる。
【００１１】
また、請求項４の発明に係るコンテナーでは、側壁のうち縦リブ同士の間に位置しかつ下方に下端突部を有しない領域の下端側の壁部を部分的に除去して上側ヒケ防止部を設けたので、樹脂成形時に側壁と下端フランジとを構成する樹脂の固化速度が相違しても、側壁が下端フランジを引き上げる力が上側ヒケ防止部によって分断され、ヒケが抑えられる。これにより、コンテナーに備えた下端フランジを安定して平坦な形状にすることが可能になる。
【００１２】
上記した下側ヒケ防止部は、孔構造にして下端フランジに貫通形成してもよいし、請求項２の発明のように、溝構造にして下端フランジの下面に陥没形成してもよい。また、請求項３の発明のように、下側ヒケ防止部を孔構造にして下端フランジに貫通形成し、そこにカードホルダーの下端部を嵌合装着することで、下側ヒケ防止部の有効利用を図ってもよい。上側ヒケ防止部に関して同様に、孔構造にして側壁に貫通形成してもよいし、請求項５のように、溝構造にして側壁の外面に陥没形成してもよい。また、上側ヒケ防止部及び下側ヒケ防止部を溝構造にすれば、上側ヒケ防止部及び下側ヒケ防止部を通した粉塵等の進入を防ぐことができる。
【発明を実施するための最良の形態】
【００１３】
以下、本発明の一実施形態を図１〜図８に基づいて説明する。
図１（Ａ）に示したコンテナー１０は、長方形の底壁１３の外縁部から側壁１２を起立した箱形構造をなし、上方に開放した上面開口１１を有している。また、側壁１２は、上方に向かって外側に僅かに傾斜している。
【００１４】
コンテナー１０の上端部及び下端部には、側方に向けて張り出した上端フランジ１４と下端フランジ１５とが備えられている。上端フランジ１４は、側壁１２の上端部を水平外側に屈曲してなる。一方、下端フランジ１５は、図４に示すように底壁１３を側壁１２より外側に延長した構造をなしている。また、下端フランジ１５は、図６に示すように、底壁１３より若干肉厚になっている。
【００１５】
図１（Ａ）に示すように、上端フランジ１４と下端フランジ１５の間には、上下方向に延びた複数の縦リブ１６が設けられている。各縦リブ１６は、側壁１２から外側に張り出し、上下の両端部が上端フランジ１４及び下端フランジ１５に接続されている。詳細には、複数の縦リブ１６の一部は、例えば、コンテナー１０の各角部に配置されて各角部の２等分線に沿って側壁１２から張り出し、残りの縦リブ１６は、縦横の４つの各側壁１２において両端寄り位置に配置されて、側壁１２から直角に張り出している。
【００１６】
なお、４つの各側壁１２の外面には、略四角形の側壁肉厚部１２Ａが形成されている。それら側壁肉厚部１２Ａは、側壁１２の一部を外面側に僅かに隆起させてなり（図６参照）、縦リブ１６，１６及び上端フランジ１４及び下端フランジ１５から離れた位置に配置されている。
【００１７】
図１（Ａ）に示すように、コンテナー１０のうち短辺側の側壁１２に配置された１対の縦リブ１６，１６の上端部には、それら縦リブ１６，１６の先端部と上端フランジ１４の先端部とを連絡するように、側壁１２に対向した取手板１６Ａが差し渡されている。また、コンテナー１０のうち長辺側の側壁１２に配置された１対の縦リブ１６，１６の下端寄り位置からは、コンテナー１０の長辺の中心に向けてホルダ係止壁１６Ｂ，１６Ｂがそれぞれ張り出している。さらに、側壁１２のうち両ホルダ係止壁１６Ｂ，１６Ｂ間の中間位置には、ホルダー係止突部１８が突出形成されている。図７に示すように、ホルダー係止突部１８は、下方に向かって側壁１２の外面から徐々に迫り出した傾斜面と、側壁１２の外面から垂直に立ち上がった係止面とを有した矢尻形状になっている。
【００１８】
下端フランジ１５のうちホルダ係止壁１６Ｂ，１６Ｂに対してホルダー係止突部１８寄りの斜め下方位置には、四角形のホルダー取付孔１７，１７がそれぞれ貫通形成されている。図８に示すように、各ホルダー取付孔１７は、下端フランジ１５のうち側壁１２から離れた位置に配置されている。
【００１９】
図１（Ｂ）に示すように、コンテナー１０には、必要に応じてカードホルダー４０が取り付け可能になっている。カードホルダー４０は、帯板状のベース板４３から門形状の第１可撓片４４を起立し、さらに、その第１可撓片４４の内側に比較的小さい門形状の第２可撓片４５を起立した構造になっている。ベース板４３の下面には、図８に示すように、ホルダー取付孔１７，１７に対応させて１対の係止突部４１，４１（図８には一方の係止突部４１のみが示されている）が突出形成されている。係止突部４１は、ベース板４３の幅方向の一方側から他方側に向かってベース板４３の下面から徐々に迫り出した傾斜面４１Ａと、ベース板４３の下面から垂直に立ち上がった係止面４１Ｂとを有した矢尻形状になっている。また、第１及び第２の可撓片４４，４５は、図１（Ｂ）に示すように、共にベース板４３に対してベース板４３の幅方向の一方側に傾斜した状態で起立している。
【００２０】
カードホルダー４０は、ベース板４３の両端部を１対のホルダ係止壁１６Ｂ，１６Ｂと下端フランジ１５との隙間に押し込んでコンテナー１０に取り付けられる。このとき、図８に示された各係止突部４１は、傾斜面４１Ａを案内にして下端フランジ１５に乗り上がる。そして、ベース板４３が奥まで押し込まれると、各ホルダー取付孔１７に収まって係止面４１Ｂがホルダー取付孔１７の縁部に係止すると共に、ベース板４３の中心部は、ホルダー係止突部１８によって上方への浮き上がりが規制される。そして、図１（Ｂ）に示すように、カードホルダー４０がコンテナー１０に取り付けられると、第１及び第２の可撓片４４，４５における各先端寄り位置が、コンテナー１０の側壁１２に密着する。この状態で、カードホルダー４０と側壁１２との間に上方からカード４６を挿入すると、それらカードホルダー４０と側壁１２との間にカード４６が保持される。なお、係止突部４１はホルダー取付孔１７内に収容されて下端フランジ１５の下方には突出しないようになっている。
【００２１】
図２に示すように、コンテナー１０の下面には、下端突部３０が突出形成されている。下端突部３０は、図３に示すように、コンテナー１０の長手方向の２箇所に分けて設けられている。各下端突部３０は、縦横に延びた複数のリブを交差してなる格子壁３３と、その格子壁３３の周りを囲む囲壁３１とから構成され、全体が四角形になっている。囲壁３１のうち下端フランジ１５に隣接した部位は、図４及び図５に示すように、側壁１２を底壁１３より下方に延長した位置に配置されている。また、図６に示すように、囲壁３１は、側壁１２より若干肉厚になっている。
なお、下端突部３０，３０の間では、底壁１３の下面と下端フランジ１５の下面とが面一になっている。
【００２２】
コンテナー１０を積み上げた際（図示せず）には、上側のコンテナー１０における下端突部３０が、下側のコンテナー１０における上面開口１１内に嵌合し、各下端突部３０のうち側壁１２の真下に位置した部位が、下側のコンテナー１０の内側面に隣接して、上下のコンテナー１０，１０同士を縦横両方向で位置決めする。
なお、本実施形態のコンテナー１０とは縦方向の一方の長さが異なりかつ他方の長さが共通した別のコンテナーにコンテナー１０を積み上げることで、一方向のみでコンテナー同士を位置決めしてもよい。
【００２３】
図３に示すように、下端フランジ１５の下面には、下端突部３０に隣接させて複数の下側ヒケ防止溝２０（本発明に係る「下側ヒケ防止部」に相当する）が形成されている。各下側ヒケ防止溝２０は、図６に示すように、下端フランジ１５のうち下端突部３０の囲壁３１に接続された基端側の壁部を下面側から所定の深さまで部分的に除去してなる。また、各下側ヒケ防止溝２０は、下端突部３０の外縁部に沿って延びた長方形をなしている。そして、下側ヒケ防止溝２０は、下端フランジ１５のうちコンテナー１０の短辺側に位置した領域では、その短辺方向の中心位置に配置され、長辺側に位置した領域では、両端寄り位置の各縦リブ１６と各ホルダー取付孔１７との間の中間部に配置されている。
【００２４】
図１（Ａ）に示すように、コンテナー１０の長辺側の側壁１２における下端部には、真下に下端突部３０を有しない部分に上側ヒケ防止溝２１（本発明に係る「上側ヒケ防止部」に相当する）が設けられている。詳細には、上側ヒケ防止溝２１は、丁度、ホルダー係止突部１８の下方に位置し、側壁１２の下縁部に沿って延びた長方形をなしている。また、各上側ヒケ防止溝２１は、図７に示すように、側壁１２の下端側の壁部を外面側から所定の深さまで部分的に除去してなる。
【００２５】
本実施形態のコンテナー１０は、合成樹脂を射出成形してなる。その射出成形に用いられる成形金型（図示せず）は、底壁１３を含む面をパーティングラインにして開閉する第１と第２の主金型と、それら第１と第２の主金型の開閉方向と直交する方向で往復動する４つのサイド金型とを有してなる。そして、第１の主金型が底壁１３及び下端フランジ１５の下面を成形し、第２の主金型が側壁１２の内面を成形し、４つのサイド金型が側壁１２の外面を成形する。そして、第１の主金型に設けた成形突部によって下側ヒケ防止溝２０が成形され、１対のサイド金型に設けた成形突部によって上側ヒケ防止溝２１が成形されるようになっている。
【００２６】
本実施形態のコンテナー１０の構成に関する説明は以上である。次に、本実施形態のコンテナー１０の作用効果に関して説明する。
【００２７】
コンテナー１０を製造するには、上記した成形金型を閉じてその内部に溶融樹脂を充填する。そして、その溶融樹脂が固化してから成形金型から取り出してコンテナー１０が完成する。ここで、仮に、コンテナー１０が従来のように下側ヒケ防止溝２０及び上側ヒケ防止溝２１を有していなかった場合には、溶融樹脂が固化する過程において、下端フランジ１５のうち縦リブ１６を有しない部分が、下端突部３０によって下側に引き下げられる下向きのヒケと、側壁１２によって上側に引き上げられる上向きのヒケとが発生し得る。
【００２８】
しかしながら、本実施形態のコンテナー１０では、下端フランジ１５のうち縦リブ１６，１６同士の間に位置しかつ下端突部３０に接続された領域の基端側の壁部を部分的に除去して複数の下側ヒケ防止溝２０を設けたので、それら下側ヒケ防止溝２０により下端突部３０が下端フランジ１５を引き下げる力が分断されて、下向きのヒケが抑えられる。また、側壁１２のうち縦リブ１６，１６同士の間に位置しかつ下方に下端突部３０を有しない領域の下端側の壁部を部分的に除去して複数の上側ヒケ防止溝２１を設けたので、それら上側ヒケ防止溝２１により側壁１２が下端フランジ１５を引き上げる力が分断され、上向きのヒケも抑えられる。これらにより、コンテナー１０に備えた下端フランジ１５を安定して平坦な形状にすることが可能になり、下側ヒケ防止溝２０の外観品質が向上すると共に、コンテナー１０，１０を積み上げた際に隙間が発生し難くなる。
【００２９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３０】
（１）前記実施形態のコンテナー１０では、下端突部３０が間隔を開けて複数設けられていたが、図９に示すように、下端突部３０を底壁１３の下面全体に設けてもよい。この場合、下側ヒケ防止溝２０を前記実施形態の場合に比べて増やす一方、上側ヒケ防止溝２１を排除すればよい。
【００３１】
（２）前記実施形態において本発明の「下側ヒケ防止部」に相当する下側ヒケ防止溝２０は、下端フランジ１５に陥没形成されていたが、下側ヒケ防止部は、下端フランジに貫通形成された孔構造であってもよい。
【００３２】
（３）また、図１０に示すように、カードホルダー４０の係止突部４１が嵌合装着されるホルダー取付孔１７を下端フランジ１５の基端部まで延ばすことで、そのホルダー取付孔１７を本発明に係る下側ヒケ防止部に兼用してもよい。
【００３３】
（４）前記実施形態において本発明の「上側ヒケ防止部」に相当する上側ヒケ防止溝２１は、側壁１２に陥没形成されていたが、上側ヒケ防止部は、側壁に貫通形成された孔構造であってもよい。
【図面の簡単な説明】
【００３４】
【図１】（Ａ）本発明の一実施形態に係るコンテナーの斜視図、（Ｂ）そのコンテナーにカードホルダーを装着した状態の斜視図
【図２】コンテナーの側面図
【図３】コンテナーの下面図
【図４】コンテナーの側断面図
【図５】図２のＡ−Ａ切断面におけるコンテナーの断面図
【図６】図２のＡ−Ａ切断面におけるコンテナーの部分拡大断面図
【図７】図２のＢ−Ｂ切断面におけるコンテナーの部分拡大断面図
【図８】図２のＣ−Ｃ切断面におけるコンテナーの部分拡大断面図
【図９】本発明の変形例に係るコンテナーの下面図
【図１０】本発明の変形例に係るコンテナーの部分拡大断面図
【図１１】従来のコンテナーの斜視図
【図１２】従来のコンテナーの部分側面図
【符号の説明】
【００３５】
１０    コンテナー
１１    上面開口
１２    側壁
１３    底壁
１５    下端フランジ
１６    縦リブ
１７    ホルダー取付孔
２０    下側ヒケ防止溝（下側ヒケ防止部）
２１    上側ヒケ防止溝（上側ヒケ防止部）
３０    下端突部
４０    カードホルダー
【図１】
2008024349.tif 000003
【図２】
2008024349.tif 000004
【図３】
2008024349.tif 000005
【図４】
2008024349.tif 000006
【図５】
2008024349.tif 000007
【図６】
2008024349.tif 000008
【図７】
2008024349.tif 000009
【図８】
2008024349.tif 000010
【図９】
2008024349.tif 000011
【図１０】
2008024349.tif 000012
【図１１】
2008024349.tif 000013
【図１２】
2008024349.tif 000014